【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
電子デバイスであって、
ＶＢＵＳコンダクタとＤＰコンダクタとＤＮコンダクタとＧＮＤコンダクタとを有するユニバーサルシリアルバス（ＵＳＢ）コネクタと、
前記ＶＢＵＳコンダクタと前記ＧＮＤコンダクタとに結合される負荷と、
前記ＢＶＵＳコンダクタと前記ＤＰコンダクタと前記ＤＮコンダクタとに結合される充電器検出回路要素であって、プロセッサイネーブル出力とコントローライネーブル出力とスイッチ制御出力とを有する、前記充電器検出回路要素と、
前記ＤＰコンダクタに接続される第１の端子と、前記スイッチ制御出力に接続される制御入力と、プロセッサ端子と、コントローラ端子とを有する第１のスイッチ回路要素と、
前記ＤＮコンダクタに接続される第１の端子と、前記スイッチ制御出力に接続される制御入力と、プロセッサ端子と、コントローラ端子とを有する第２のスイッチ回路要素と、
前記第１のスイッチ回路要素のコントローラ端子に接続されるＤＰ入力と、前記第２のスイッチ回路要素のコントローラ端子に接続されるＤＮ入力と、プロセッサリードと、前記コントローライネーブル出力に接続されるコントローライネーブル入力とを有するコントローラであって、前記コントローラエネーブル出力によりイネーブルされるときに前記ＤＰ及びＤＮコンダクタ上で通信し、そうでないときにディセーブルされる双方向ディジタル通信回路要素を含む、前記コントローラと、
前記第１のスイッチ回路要素のプロセッサ端子に接続されるＤＰ入力と、前記第２のスイッチ回路要素のプロセッサ端子に接続されるＤＮ入力と、前記プロセッサイネーブル出力に接続されるプロセッサイネーブル入力と、前記コントローラのプロセッサリードに接続されるコントローラリードとを有し、前記コントローラから充電器能力情報を受信する、プロセッサと、
を含む、電子デバイス。
【請求項２】
請求項１に記載の電子デバイスであって、
前記コントローラが、前記ＤＰ入力に接続される第１の入力と、前記ＤＮ入力に接続される第２の入力と、前記コントローライネーブル入力に接続されるイネーブル入力と、前記プロセッサリードに接続される情報リードとを有するＩ２Ｃトランスシーバを含む、電子デバイス。
【請求項３】
ユニバーサルシリアルバス（ＵＳＢ）充電器装置であって、
ＶＢＵＳコンダクタとＤＰコンダクタとＤＮコンダクタとＧＮＤコンダクタとを含むＵＳＢコネクタと、
前記ＶＢＵＳコンダクタと前記ＧＮＤコンダクタとの間に接続される電源であって、抵抗器アレイ入力を有する、前記電源と、
前記ＤＰコンダクタに接続されるＤＰ入力と、前記ＤＮコンダクタに接続されるＤＮ入力と、抵抗器アレイ制御出力とを有するコントローラであって、前記ＤＰ及びＤＮコンダクタ上で通信する双方向ディジタル通信回路要素を含む、前記コントローラと、
前記抵抗器アレイ制御出力に接続される抵抗器アレイ制御入力と、前記電源の抵抗器アレイ入力に接続される抵抗器アレイ出力とを有する抵抗器アレイと、
を含む、ＵＳＢ充電器装置。
【請求項４】
請求項３に記載のＵＳＢ充電器装置であって、
前記コントローラが、Ｉ２Ｃスレーブコントローラである、ＵＳＢ充電器装置。
【請求項５】
請求項３に記載のＵＳＢ充電器装置であって、
前記コントローラが、可変抵抗器制御出力を含み、
前記ＵＳＢ充電器装置が、前記ＤＰコンダクタと前記ＤＮコンダクタとの間に接続され、前記寒辺抵抗器制御出力に接続される制御入力を有する可変抵抗器を更に含む、ＵＳＢ充電器装置。
【請求項６】
請求項３に記載のＵＳＢ充電器装置であって、
前記ＶＢＵＳコンダクタに接続され、前記コントローラに接続される供給リードを有する低ドロップアウト（ＬＤＯ）電源を更に含む、ＵＳＢ充電器装置。
【請求項７】
ＶＢＵＳコンダクタとＤＰコンダクタとＤＮコンダクタとＧＮＤコンダクタとを備えるコネクタを有するユニバーサルシリアルバス（ＵＳＢ）デバイスを充電するプロセスであって、
前記ＶＢＵＳコンダクタと前記ＤＰコンダクタと前記ＤＮコンダクタとに接続される前記デバイス内の充電器検出回路を用いて充電器が前記コネクタに接続されることを決定することと、
前記ＤＰ及びＤＮコンダクタを介して前記接続された充電器と双方向ディジタル通信接続を確立することであって、前記確立が、前記ＤＰ及びＤＮコンダクタを前記デバイス内の通信コントローラに切り替えることと、前記通信コントローラをイネーブルすることとを含む、前記確立することと、
前記ＤＰ及びＤＮコンダクタ上の前記双方向ディジタル通信接続を介して前記デバイス内の通信コントローラにおいて前記充電器から充電器能力情報を受信することと、
前記デバイス内のプロセッサ回路要素において前記受信した充電器能力情報と前記デバイスに記憶されたデバイス充電能力情報との間の調和を決定することと、
前記デバイスの充電能力に調和するように前記通信接続を介して前記充電器の充電能力を構成することと、
前記構成された充電能力で前記充電器から前記コネクタ上で充電電力を受信することと、
前記ＤＰ及びＤＮコンダクタを前記通信コントローラから前記プロセッサ回路要素に切り換えて前記プロセッサ回路要素をイネーブルすることと、
を含む、プロセス。
【請求項８】
請求項７に記載のプロセスであって、
前記充電器からのステータス変化の通信のために前記ＤＰ及びＤＮコンダクタを監視することと、
前記充電器からの受信したステータス変化に従って前記充電器を再構築することと、
を更に含む、プロセス。
【請求項９】
請求項７に記載のプロセスであって、
前記確立することが、Ｉ２Ｃ双方向ディジタル通信接続を確立することを含む、プロセス。
【請求項１０】
請求項７に記載のプロセスであって、
前記充電器能力情報を受信することが、電圧及び電流供給情報を含む、プロセス。
【請求項１１】
ＶＢＵＳコンダクタとＤＰコンダクタとＤＮコンダクタとＧＮＤコンダクタとを備えるコネクタを有するユニバーサルシリアルバスデバイスを充電するプロセスであって、
充電器を前記コネクタを介して前記デバイスに接続することと、
前記充電器内の電源からの出力電力の初期設定レベルを前記ＶＢＵＳコンダクタと前記ＧＮＤコンダクタとを介して前記デバイスに供給することと、
前記ＤＰ及びＤＮコンダクタを介して前記充電器内の通信コントローラと前記デバイスとの間に双方向ディジタル通信接続を確立することと、
前記ＤＰ及びＤＮコンダクタを介して前記デバイスに充電器能力情報を送信することと、
前記ＤＰ及びＤＮコンダクタ上の前記双方向ディジタル通信接続を介して前記充電器において前記デバイスからデバイス充電能力情報を受信することと、
前記デバイスの充電能力を調和するために前記双方向ディジタル通信接続を介して前記充電器の充電能力を構成することと、
前記構成された充電能力で前記充電器から前記デバイスに前記コネクタ上で充電電力を送信することと、
を含む、プロセス。
【請求項１２】
請求項１１に記載のプロセスであって、
前記デバイスからのステータス変化の通信のために前記ＤＰ及びＤＮコンダクタを監視することと、
前記デバイスからの受信したステータス変化に従って前記充電器を再構築することと、
を更に含む、プロセス。
【請求項１３】
請求項１１に記載のプロセスであって、
前記確立することが、Ｉ２Ｃ双方向ディジタル通信接続を確立することを含む、プロセス。
【請求項１４】
請求項１１に記載のプロセスであって、
前記充電器能力情報を前記デバイスに送信することが、電圧及び電流供給情報を送信することを含む、プロセス。